(57)【特許請求の範囲】
【請求項１】
軒先の軒樋に配置した集水器と壁際に配置した縦樋とを接続する呼び樋を軒天井に沿って取り付けた呼び樋の取り付け構造において、軒天井板の上で軒天井内に内装するように呼び樋を配置し、呼び樋の下面側に位置する軒天井板の厚さを他の部分より薄く形成して、呼び樋の下に位置する厚さの薄い呼び樋用軒天井板に縦樋を挿通する挿通孔を設け、呼び樋用軒天井板の上面を挿通孔に向けて高さの低くなる勾配面として成ることを特徴とする呼び樋の取り付け構造。
【請求項２】
呼び樋の下に位置する厚さの薄い呼び樋用軒天井板を着脱自在に取り付けて成ることを特徴とする請求項１記載の呼び樋の取り付け構造。
【請求項３】
挿通孔の部分で呼び樋用軒天井板を２分割して成ることを特徴とする請求項２記載の呼び樋の取り付け構造。
【発明の詳細な説明】
【０００１】
【発明の属する技術分野】
本発明は、軒樋の雨水を縦樋に排水する呼び樋を軒天井に取り付ける構造に関するものである。
【０００２】
【従来の技術】
近年、建物の軒先部の外観を向上するため、偏平筒状の呼び樋を軒天井に埋設し、軒先の軒樋の適所に配置した集水器の背面の排水口と呼び樋の端部を接続し、軒樋に受けた雨水を集水器から軒天井の呼び樋を介して壁際の縦樋から排水するような施工が行われるようになってきた。
【０００３】
【発明が解決しようとする課題】
かかる従来例では呼び樋が軒天井に埋設されて外観良くできるが、軒天井板の下面と呼び樋の下面が面一になるように呼び樋が埋設されて呼び樋の下面が露出する構造であるため、呼び樋として特別なものを用意しなければならない。
【０００４】
本発明は叙述の点に鑑みてなされたものであって、呼び樋として特別なものを用意しなくても外観よく施工できる呼び樋の取り付け構造を提供することを課題とする。
【０００５】
【課題を解決するための手段】
上記課題を解決するため本発明の請求項１の呼び樋の取り付け構造は、軒先の軒樋１に配置した集水器２と壁際に配置した縦樋３とを接続する呼び樋４を軒天井に沿って取り付けた呼び樋の取り付け構造において、軒天井板５の上で軒天井内に内装するように呼び樋４を配置し、呼び樋４の下面側に位置する軒天井板５の厚さを他の部分より薄く形成して、呼び樋４の下に位置する厚さの薄い呼び樋用軒天井板５ａに縦樋３を挿通する挿通孔６を設け、呼び樋用軒天井板５ａの上面を挿通孔６に向けて高さの低くなる勾配面７として成ることを特徴とする。呼び樋４を軒天井板５の上に内装するために呼び樋４が外観上見えなく、呼び樋４は形状が自由で呼び樋４として特別なものを用意する必要がない。一般に市販の筒状の樋でも使用できる。また軒樋１から呼び樋４に排水する集水器２の位置と縦樋３の位置がずれても呼び樋４を斜めに振ることにより対応できる。また呼び樋４の下面側に位置する軒天井板５の厚さを他の部分より薄く形成することにより、軒樋１と呼び樋４の段差を小さくできるため、軒樋１から呼び樋４への排水性能がアップする。また呼び樋６から水漏れが発生しても勾配面７に沿って水が流れて挿通孔６から排出できるものであって、軒天井の他の部分に水が廻るという弊害を防止できると共に水漏れしていることを警告できる。
【０００６】
また本発明の請求項２の呼び樋の取り付け構造は、呼び樋４の下に位置する厚さの薄い呼び樋用軒天井板５ａを着脱自在に取り付けて成ることを特徴とする。呼び樋用軒天井板５ａを取り外して呼び樋４のメンテナンスが容易にできる。
【０００７】
また本発明の請求項３の呼び樋の取り付け構造は、請求項２において、挿通孔６の部分で呼び樋用軒天井板５ａを２分割して成ることを特徴とする。この場合、縦樋３を取り外すことなく呼び樋用軒天井板５ａの取り外しができてメンテナンスが容易にできる。
【０００９】
【発明の実施の形態】
先ず、図１乃至図３に示す基本構成の一例から述べる。屋根８の軒先には軒樋１を配置してあり、屋根８からの雨水を軒樋１に受けるようになっている。軒先の鼻板９の外面側には鼻隠し１０を取り付けてあり、鼻隠し１０には軒樋吊り具１１の基部を取り付けてあり、軒樋吊り具１１に軒樋１を吊り支持してある。軒樋１の長手方向の適所には横引き集水器と称される集水器２を装着してあり、軒樋１の雨水を集めるようになっている。かかる集水器２は軒樋１と同じ断面形状であり、背部から水平方向に筒状の排水口１２を突設してある。軒天井には軒棟方向に長い野縁１３を装着してあり、野縁１３の下面側には軒天井板５を装着してある。野縁１３や軒天井板５の軒先側の端部は上記鼻隠し１０の野縁嵌合部１７や軒天井板嵌合部２５に嵌合させてある。
【００１０】
軒天井板５には一般軒天井板５ｂと呼び樋用軒天井板５ａとがある。一般軒天井板５ｂの厚さに比べて呼び樋用軒天井板５ａの厚さを十分薄くしてあるが、一般軒天井板５ｂの下面も呼び樋用軒天井板５ａの下面も同じ外観にしてある。呼び樋４を配置する部分以外には一般軒天井板５ｂが貼られるが、隣り合う一般軒天井板５ｂの端部同士は雌実１４と雄実１５とを嵌合することで接続されると共に各一般軒天井板５ｂは野縁１３に取り付けられる。呼び樋用軒天井板５ａは呼び樋４を配置する部分に取り付けられるもであり、呼び樋用軒天井板５ａには縦樋３と通すための挿通孔６が穿孔されている。この呼び樋用天井板５ａを取り付けるときは呼び樋用天井板５ａの両側縁を一般軒天井板５ａの下面に重ねて取り付けられる。図３（ａ）の例の呼び樋用軒天井板５ａでは前端の両側に前スペーサ１８を装着してあり、後端の両側に後スペーサ１９を装着してある。この呼び樋用軒天井板５ａを取り付けるとき、呼び樋用軒天井板５ａの前スペーサ１８を設けた部分を軒天井板嵌合部２５に嵌合し、後スペーサ１９の部分で呼び樋用軒天井板５ａの下面から図３（ａ）の矢印の方向にビス等の固着具２０を挿通し、固着具２０を野縁１３に打入して取り付けてある。図３（ｂ）の例の呼び樋用軒天井板５ａでは前端の両側に前スペーサ１８を装着してあり、後端の両側に下方に突出する取り付け片２１を設けてある。この呼び樋用軒天井板５ａを取り付けるとき、呼び樋用軒天井板５ａの前スペーサ１８を設けた部分を軒天井板嵌合部２５に嵌合し、取り付け片２１から図３（ｂ）の矢印の方向にビス等の固着具２０を挿通し、固着具２０を壁等に打入して取り付けてある。
【００１１】
呼び樋用軒天井板５ａの上面側にはこの上面に沿って呼び樋４が配置され、呼び樋４と一体に繋がった縦樋３が挿通孔６に挿通され、縦樋３が壁際に沿って配置され、呼び樋４の前端と集水器２の排水口１２とが接続される。呼び樋４の上は必要に応じて不燃材料の被覆材２２にて覆われる。このように施工され、軒樋１の雨水が集水器２を介して呼び樋４に導入され、呼び樋４から縦樋３に沿って排水される。上記呼び樋４は軒天井板５の上に位置して軒天井に内装されるために呼び樋４が外観上見えなくて呼び樋４として特別なものを用意する必要がない。また呼び樋用軒天井板５ａは固着具２０を外すだけで容易に取り外すことができ、呼び樋用軒天井板５ａを取り外して呼び樋４のメンテナンスが容易にできる。また図４に示す集水器２のように排水口１２に蛇腹部２３のような自在曲げ部を設けると、軒樋１から呼び樋４に排水する集水器２の位置と縦樋３の位置がずれても呼び樋４を斜めに振ることにより対応でき、このとき呼び樋４が軒天井板５にて隠れているために問題なく施工できる。
【００１２】
次に図５に示す参考例について述べる。本例の場合、呼び樋用軒天井板５ａを左右の幅方向に中央で挿通孔６の部分を含めて２分割してあり、各分割天井板５ａ１，５ａ２を別々に軒天井に上記と同様に取り付けてある。このようにしてあると、縦樋３を取り外さなくても呼び樋用軒天井板５ａの取り外しができ、呼び樋用軒天井板５ａの取り外しが容易にできる。
【００１３】
次に図６に示す実施の形態の例について述べる。本例の場合、呼び樋用軒天井板５ａの上面に挿通孔６の部分が低くなる勾配面７を設けてある。このようにしてあると、呼び樋４から水が漏れても図６（ｂ）の矢印のように挿通孔６に向かって水が流れて挿通孔６から排水される。このようにすると呼び樋３から水が漏れても一般軒天井板５に水が廻る弊害を防止できると共に挿通孔６からの水漏れにて水漏れを警告する役面を果たさせることができる。
【００１４】
【発明の効果】
本発明の請求項１の発明は、叙述の如く軒天井板の上で軒天井内に内装するように呼び樋を配置し、呼び樋の下面側に位置する軒天井板の厚さを他の部分より薄く形成して、呼び樋の下に位置する厚さの薄い呼び樋用軒天井板に縦樋を挿通する挿通孔を設け、呼び樋用軒天井板の上面を挿通孔に向けて高さの低くなる勾配面としているものであって、呼び樋を軒天井板の上に内装するために呼び樋が外観上見えなく、呼び樋は形状が自由で呼び樋として特別なものを用意する必要がないものであり、一般に市販の筒状の樋でも使用できるものであり、また軒樋から呼び樋に排水する集水器の位置と縦樋の位置がずれても呼び樋を斜めに振ることにより対応できるものであり、また呼び樋の下面側に位置する軒天井板の厚さを他の部分より薄く形成することにより、軒樋と呼び樋の段差を小さくできるため、軒樋から呼び樋への排水性能がアップするものであり、また呼び樋から水漏れが発生しても勾配面に沿って水が流れて挿通孔から排出できるものであって、軒天井の他の部分に水が廻るという弊害を防止できると共に、水漏れしていることを警告できるものである。
【００１５】
また本発明の請求項２の発明は、呼び樋の下に位置する厚さの薄い呼び樋用軒天井板を着脱自在に取り付けているので、呼び樋用軒天井板を取り外して呼び樋のメンテナンスが容易にできるものである。
【００１６】
また本発明の請求項３の発明は、請求項２において、挿通孔の部分で呼び樋用軒天井板を２分割しているので、縦樋を取り外すことなく呼び樋用軒天井板の取り外しができてメンテナンスが容易にできるものである。
【図面の簡単な説明】
【図１】  本発明における基本構成の一例の側面から見た断面図であり、（ａ）は一般軒天井板の部分で破断した断面図、（ｂ）は呼び樋の部分で破断した断面図である。
【図２】  同上の正面から見た断面図である。
【図３】  （ａ）（ｂ）は同上の呼び樋用軒天井板の斜視図である。
【図４】  同上の集水器の参考例の斜視図である。
【図５】  （ａ）（ｂ）は同上の呼び樋用軒天井板の参考例を示す分解斜視図及び組み立て状態の斜視図である。
【図６】  同上の呼び樋用軒天井板の実施の形態の一例を示し、（ａ）は斜視図、（ｂ）は動作を説明する平面図である。
【図１】
0004269455.tif 000002
【図２】
0004269455.tif 000003
【図３】
0004269455.tif 000004
【図４】
0004269455.tif 000005
【図５】
0004269455.tif 000006
【図６】
0004269455.tif 000007